(57)【要約】【課題】  外部の記憶媒体装置をユーザの指示操作があった後に処理対象とすることで操作上の混乱を回避する記録装置及び記録システム並びに記録方法を提供する。【解決手段】  第１記録媒体に情報をエンコードして記録する記録部と、第１記録媒体に記録された情報をデコードして再生する再生部と、外部の第２記録媒体装置１０１を接続する接続部と、接続部が第２記録媒体装置を認識すると第２記録媒体装置を記録部及び再生部の処理対象と設定するかどうかの設定画面（図６）の画像信号を生成し、これに対して処理対象と設定するとの指示信号を受けると、第２記録媒体装置を記録部及び再生部の処理対象として処理を行なう制御部３５，３０をもつ記録装置。【選択図】図１
2008158973.tif 000002
【特許請求の範囲】
【請求項１】
第１記録媒体に情報をエンコードして記録する記録部と、
前記第１記録媒体に記録された情報をデコードして再生する再生部と、
外部の第２記録媒体装置を接続する接続部と、
前記接続部が前記第２記録媒体装置を認識すると前記第２記録媒体装置を前記記録部及び前記再生部の処理対象と設定するかどうかの設定画面の画像信号を生成し、これに対して処理対象と設定するとの指示信号を受けると、前記第２記録媒体装置を前記記録部及び前記再生部の処理対象として処理を行なう制御部と、
を具備することを特徴とする記録装置。
【請求項２】
前記制御部は、前記第２記録媒体装置を処理対象とするとの指示信号を受けると、前記第２記録媒体装置の内部のハードディスクドライブユニットに電源供給を指示する電源供給指示信号を前記接続部を介して前記第２記録媒体装置に供給することを特徴とする請求項１記載の記録装置。
【請求項３】
前記制御部は、前記第２記録媒体装置を処理対象とするとの指示信号を受けると、通常モードから、前記第２記録媒体装置も処理対象に含める動作モードである増設モードに動作モードを変更し、前記増設モードで設定した仕様で処理を行なうことを特徴とする請求項１記載の記録装置。
【請求項４】
前記制御部は、前記通常モードから前記増設モードに動作モードを変更した後は、少なくとも前記第１記録媒体及び前記第２記録媒体装置を処理対象の選択肢として表示する操作画面のための画像信号を生成することを特徴とする請求項３記載の記録装置。
【請求項５】
第１記録媒体を対象に情報の記録再生処理を行なう記録装置と、前記記録装置にケーブルで接続される第２記録媒体装置を有する記録システムであって、
前記記録装置は、前記第１記録媒体に情報をエンコードして記録する記録部と、前記第１記録媒体に記録された情報をデコードして再生する再生部と、前記第２記録媒体装置と前記ケーブルを介して接続する接続部と、前記接続部が前記第２記録媒体装置を認識すると前記第２記録媒体装置を前記記録部及び前記再生部の処理対象と設定するかどうかの設定画面の画像信号を生成し、これに対して処理対象と設定するとの指示信号を受けると、前記第２記録媒体装置を前記記録部及び前記再生部の処理対象として処理を行なう制御部を具備することを特徴とする記録システム。
【請求項６】
第１記録媒体を対象に情報の記録再生処理を行なう記録装置と前記記録装置に接続される第２記録媒体装置とによる記録方法であって、
前記記録装置は、前記第２記録媒体装置からの接続情報信号により増設機器が接続されたことを認識すると前記第２記録媒体装置を記録及び再生の処理対象と設定するかどうかの設定画面を表示し、
これに対して前記第２記録媒体装置を処理対象と設定するとの指示信号を受けると、前記第２記録媒体装置を記録及び再生の処理対象として処理を行なうことを特徴とする記録方法。
【発明の詳細な説明】
【技術分野】
【０００１】
この発明は、増設ＨＤＤ（Hard Disc Driver）を使用する記録装置及び記録システム並びに記録方法に関する。
【背景技術】
【０００２】
最近、デジタル機器の普及と共にハードディスクレコーダ等の放送受信装置が一般化しつつあり、従来のＶＴＲ（Video Tape Recorder）による記録再生処理の場合よりも、多くの映像情報を容易に記録・再生することが可能となってきている。このような放送受信装置においては、放送局又はサーバから供給される電子番組情報（Electronic Program Guide）を活用して、留守録画処理を更に容易に行うことが可能となってきている。
【０００３】
このような記録装置は、留守録画処理が容易になった反面、記憶媒体の記憶容量がすぐに不足になるという傾向がある。これに対して、例えば外付けＨＤＤを接続して記憶容量を増設するという方法が取られるが、外部装置を接続して記憶容量を増設する際の周辺技術が多く知られている。
【０００４】
特許文献１は、ネットワークを介して接続された機器において、機器内部にあるモジュールと外部接続されている機器を区別するようにするため、コントローラ／デジタルチューナモジュールは、ＩＥＥＥ１３９４シリアルバスを介して接続されている各機器よりＳｅｌｆ  ＩＤパケットを受信し、これを解析することによって各機器の接続形態を認識することができる。
【特許文献１】特開２００５−２５９０３７号公報。
【発明の開示】
【発明が解決しようとする課題】
【０００５】
しかし、特許文献１の従来技術で開示されるコントローラ／デジタルチューナモジュールは、予め決められた物理的に固定の位置に接続されたＨＤＤモジュールおよび光ディスクモジュールを内蔵モジュールとし、増設予定の機器を外部接続機器と認識する。しかし、例えば放送信号を記録させる記録先の選択画面において、外部接続機器が接続されていない状態でも内部接続機器と共に外部接続機器が並んで画面表示されてしまう。
【０００６】
従って、外部機器のオプションを使わないユーザからすると、接続していない増設ＨＤＤの選択先が画面表示されるため、操作の際に混乱を招くという問題がある。
【０００７】
本発明は、外部の増設ＨＤＤ等をユーザの指示操作があった後に処理対象とすることで操作上の混乱を回避する記録装置及び記録システム並びに記録方法を提供することを目的とする。
【課題を解決するための手段】
【０００８】
課題を解決するための一実施形態は、
第１記録媒体（１８）に情報をエンコードして記録する記録部（２１，３０）と、
前記第１記録媒体に記録された情報をデコードして再生する再生部（２３，３０）と、
外部の第２記録媒体装置（１０１）を接続する接続部（３４）と、
前記接続部が前記第２記録媒体装置を認識すると前記第２記録媒体装置を前記記録部及び前記再生部の処理対象と設定するかどうかの設定画面（図６）の画像信号を生成し、これに対して処理対象と設定するとの指示信号を受けると、前記第２記録媒体装置を前記記録部及び前記再生部の処理対象として処理を行なう制御部（３５，３０）と、
を具備することを特徴とする記録装置である。
【発明の効果】
【０００９】
外付けＨＤＤ等を接続しても設定画面でユーザの指示操作があるまでは、処理対象の記録媒体として認識しないので、操作上の混乱が起こることがない。また、ユーザの指示操作を受けてから内部のＨＤＤに電源供給することで、節電効果も期待できる。
【発明を実施するための最良の形態】
【００１０】
以下、この発明の実施の形態について図面を参照して詳細に説明する。  
＜本発明の一実施形態に係る記録装置＞
初めに、本発明の一実施形態に係る記録装置の基本的機を実現するための構成の一例を図面を用いて説明する。図１は、本発明の一実施形態に係る記録装置と増設ＨＤＤとが接続されたシステムの構成の一例を示すブロック図である。
【００１１】
（要部の構成）
本発明の一実施形態に係る記録装置１０は、図１に示すように、電源スイッチや再生スイッチ等の操作スイッチをもつ操作部３２と、各操作信号等を表示する表示部３３と、表示部３３の動作を制御する表示制御部３３−２を有している。更に、記録装置１０は、本発明の一実施形態である外部機器の接続モードの設定処理を行なうための構成である接続モード設定部３５を有している。この接続モード設定部３５は、後述する増設ＨＤＤ１０１を処理対象として設定するかどうかユーザの指示に応じて判断し設定処理を行なう。
【００１２】
この接続モード設定部３５は、増設ＨＤＤ１０１から接続情報を受ける接続情報取得部６１と、この接続情報を認識するための接続情報認識部６２と、認識結果に応じて動作モードを判定するモード判定部６３と、設定された動作モードに応じて増設ＨＤＤ１０１の内部ＨＤＤ１０６に電源を供給させるための指示信号を出力する出力切替判断部６４と、増設ＨＤＤ１０１のスタンバイ信号を検出する増設機器動作判定部６５を有している。
【００１３】
又、増設ＨＤＤ（Hard Disk Driver）１０１は、専用インタフェースケーブル６０にて、記録装置１０の後述するＩ／Ｆ部３４に接続され、増設ＨＤＤ１０１の各部に電源を供給する電源部１０２と、この電源部１０２から電源が供給され、増設ＨＤＤ１０１が記録装置１０に接続されたことを知らせる信号である接続情報を出力する接続情報出力部１０３を有している。更に、増設ＨＤＤ１０１は、先の出力切替判断部６４から指示信号を受けて内部のＨＤＤ１０６に電源を供給するための電力出力制御スイッチ１０４と、ＨＤＤ１０６が正常に動作していることを示すスタンバイ信号を検出するスタンバイ検出部１０５を有している。
【００１４】
次に、このような増設ＨＤＤ１０１が接続される本発明の一実施形態に係る記録装置の具体的な構成の一例として、ハードディスクレコーダを例にあげて、詳細な実施形態を以下に記載する。
【００１５】
（記録装置の一例であるハードディスクレコーダの詳細な構成）
図２は、同じく記録装置の一例であるハードディスクレコーダを示すブロック図である。  なお、ここでは本発明の一実施形態に係る記録装置を、一例としてハードディスクレコーダ機能をもった光ディスク記録再生装置を用いて説明するが、記録装置は、様々な形態が含まれるものであり、それらは全て本発明の実施形態の範囲に含まれるものである。
【００１６】
図２の記録装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１７】
又、図２の記録装置１０は、録画側を構成するエンコーダ部２１と、再生側を構成するＭＰＥＧデコーダ部２３と、装置本体の動作を制御する制御部３０とを主たる構成要素としている。記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、記録装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、記録装置１０は、ハードディスクドライブ部１８、光ディスクドライブ部１９からの信号を受けてデコードするＭＰＥＧデコーダ部２３と、エンコーダ部２１、バッファ部２２、ＭＰＥＧデコーダ部２３、多重化部２８、分離部２９、制御部３０、予約録画部４２、放送信号の復調信号から電子番組情報を抽出して予約リストや番組表画像を生成する番組表生成部４３を有している。これらの各部は、データバスを介して制御部３０に接続されている。更に、セレクタ部１７の出力は、外部の受像機４１に接続されるか、外部装置との通信を行うインタフェース部２７を介して、外部装置に供給される。
【００１８】
更に、記録装置１０は、データバスを介して制御部３０に接続され、ユーザの操作やリモコンＲの操作を受ける操作部３２を有している。ここで、リモコンＲは、記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１９】
更に、記録装置１０は、上述した増設ＨＤＤ装置１０１等に専用インタフェースケーブル６０で接続されるＩ／Ｆ部３４を有している。更に、外部機器の接続モードの設定処理を行なうための構成でありＩ／Ｆ部３４に接続されている接続モード設定部３５を有している。
【００２０】
（接続部の詳細な構成）
次に、記録装置１０及び増設ＨＤＤ装置１０１の詳細な構成の説明を図３を用いて行なう。図３は、本発明の一実施形態である記録装置と増設ＨＤＤとが接続されたシステムの要部の一例を示す回路図である。図４は、同じく記録装置と増設ＨＤＤとの間の制御信号の一例を示す説明図である。
【００２１】
記録装置１０及び増設ＨＤＤ１０１は、個別に電源を持つことを想定して、お互いの制御信号５１，５２，５３はそれぞれの機器が電源投入されない限り電位確定しないよう、図３に示されるように抵抗１１１、抵抗１１９，抵抗１１４により、入力となる機器側で電位を決定させている。
【００２２】
すなわち、ＤＶＤレコーダである記録装置１０において、Ｉ／Ｆ部３４は、専用インタフェースケーブル６０に接続され、その中の一つの端子である第１の端子が抵抗１１１に接続されて接続モード設定部３５である演算装置に接続されている。同様に、第２の端子が抵抗１１２及び抵抗１１３に接続されて接続モード設定部３５である演算装置に接続されている。同様に、第３の端子が抵抗１１４に接続されて接続モード設定部３５である演算装置に接続されている。
【００２３】
同様に、増設ＨＤＤ１０１において、Ｉ／Ｆ部が専用インタフェースケーブル６０に接続されている。そして、専用インタフェースケーブル６０の中の一つの端子である第１の端子が上述した接続情報出力部１０３に接続されている。接続情報出力部１０３は、５Ｖの電源が一端に供給された抵抗１１７と、これに接続される抵抗１１８と、抵抗１１８に接続されるトランジスタ１１６を有しており、トランジスタ１１６のエミッタが第１の端子に接続されている。
【００２４】
また、専用インタフェースケーブル６０の中の一つの端子である第２の端子が上述した電力出力制御スイッチ１０４に接続されている。電力出力制御スイッチ１０４は、一端が抵抗１１７に接続され、他端が後述する抵抗１２３に接続されており、スイッチを開閉するための端子が専用インタフェースケーブル６０の第２の端子に接続されている。また、スイッチ１０４を開閉するための第２の端子が抵抗１１９に接続されている。
【００２５】
また、専用インタフェースケーブル６０の中の一つの端子である第３の端子が上述したスタンバイ検出部１０５に接続されている。スタンバイ検出部１０５は、増設ＨＤＤ１０１が内部に有するＨＤＤユニット１０６からの動作信号を一端に受ける抵抗１２３と、抵抗１２３に接続される抵抗１２２と、抵抗１２３に接続されるトランジスタ１２１を有している。
【００２６】
また、ＨＤＤユニット１０６からの動作信号の伝送路には、抵抗１２９と発光ダイオード１３０とが接続されている。更に、ＨＤＤユニット１０６からの動作信号の伝送路には、抵抗１２４と、これに接続される抵抗１２５と、これに接続されるトランジスタ１２８と、電源が供給される抵抗１２６と、抵抗１２６とトランジスタ１２８のエミッタに接続される発光ダイオード１２７を有している。
【００２７】
記録装置１０及び増設ＨＤＤ１０１は、このような構成をもつことにより、お互いの制御信号５１，５２，５３は、それぞれの機器が電源投入されない限り電位が確定することがない。
【００２８】
ここで、制御信号５１（ｅｘＨＤＤ  Ｒｅａｄｙ）は、図４に示すように、増設ＨＤＤ１０１からＤＶＤレコーダ１０に供給されるもので、
増設ＨＤＤ１０１が接続状態・かつＤＶＤレコーダ１０がパワーオフのときは、増設ＨＤＤのＡＣイン／アウトにかかわらず“Ｌ”、
増設ＨＤＤ１０１ ＡＣイン・かつＤＶＤレコーダ１０がパワーオンのときは、“Ｌ”、
増設ＨＤＤ１０１ ＡＣアウト・かつＤＶＤレコーダ１０がパワーオンのときは、“Ｈ”、
増設ＨＤＤ１０１ 非接続・かつＤＶＤレコーダ１０がパワーオンのときは、“Ｈ”、
となるようロジック回路構成し、ＤＶＤレコーダ１０がパワーオン条件で、制御信号５１の“Ｌ”を検出して“増設機器接続”と定義されている。
【００２９】
また、制御信号５２（ｅｘＨＤＤ  ＣＴＬ）は、図４に示すように、ＤＶＤレコーダ１０から増設ＨＤＤ１０１に供給されるもので、
ＤＶＤレコーダ１０がパワーオフのときは、“Ｌ”、
ユーザが外付けを選択しているときは、“Ｈ”
ユーザが外付けを選択していないときは、“Ｌ”
と定義され、制御信号５２の“Ｈ”のときに増設ＨＤＤパワーオンとなるようにＳＷ１０４を動作させるようロジック回路構成されている。
【００３０】
また、制御信号５３（ｅｘＨＤＤ  ＳＴＢ）は、図４に示すように、増設ＨＤＤ１０１からＤＶＤレコーダ１０に供給されるもので、
ＤＶＤレコーダ１０がパワーオフのときは、“Ｌ”、
ＤＶＤレコーダ１０がパワーオン・かつ増設ＨＤＤがパワーオンのときは、“Ｌ”、
ＤＶＤレコーダ１０がパワーオン・かつ増設ＨＤＤがパワーオフのときは、“Ｈ”、
となるようロジック構成され、制御信号５３“Ｈ”の検出により、ＤＶＤレコーダ１０は増設ＨＤＤへの“記録／再生に関する制御動作許可”と定義されている。
【００３１】
＜記録装置の処理動作＞
（基本動作）
このような構成の記録装置１０において、対象の記録媒体を光ディスクＤに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００３２】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００３３】
次に、このような構成を有する記録装置１０の記録動作を、更に詳細に説明する。初めに、主に記録時の動作について詳細に説明する。記録装置１０の入力側として、ＬＡＮ等の通信部１１は、外部機器と接続して、例えばモデムＭ等を介しインターネット等の通信路を経由して番組情報提供サーバ装置Ｓ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００３４】
ここで図２の記録装置１０は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００３５】
次に、主に記録された情報の再生処理について、他の実施形態も含めて詳細に説明する。ＭＰＥＧデコーダ部２３は、デコードされた主映像にデコードされた副映像を適宜合成し、主映像にメニュー、ハイライトボタン、字幕やその他の副映像を重ねて出力するビデオプロセッサを備えている。
【００３６】
ＭＰＥＧデコーダ部２３の出力オーディオ信号は、セレクタ部１７を介して図示しないデジタルアナログ変換器でアナログ変換されてスピーカに供給されるか、Ｉ／Ｆ部２７を介して外部装置に供給される。セレクタ部１７は、制御部３０からのセレクト信号により制御される。これによりセレクタ部１７は、各チューナ部１２，１３からのデジタル信号を直接モニタする時、エンコーダ部２１をスルーした信号を直接選択することも可能である。
【００３７】
更に、通信部１１等から取得した電子番組情報に基づいて、ユーザのリモコンＲ等の操作により特定した番組に応じて、録画予約処理が可能である。予約された予約録画情報に基づいて、制御部３０及び予約録画部４２の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００３８】
（本発明の一実施形態である増設ＨＤＤの増設処理）
次に、このような基本動作を行なう記録装置１０及び増設ＨＤＤ１０１において、増設ＨＤＤ１０１の増設処理を図面を用いて詳細に説明する。図５は、本発明の一実施形態に係る記録装置における増設処理の一例を示すフローチャートである。図６は、同じく記録装置における増設設定画面の一例を示す説明図である。
【００３９】
以下は、図５のフローチャートを用いて、増設処理の手順を説明するが、これらの機能は、記録装置１０及び増設ＨＤＤ１０１の各装置内で専用の回路を設けて行なうことも可能であるが、この機能の一部または全てをマイクロコンピュータとプログラムに置き換えて行なうことも好適である。
【００４０】
初めに、記録装置１０と増設ＨＤＤ１０１とが専用インタフェースケーブル６０に接続される。次に、記録装置１０と増設ＨＤＤ１０１が電源がオンされると、増設ＨＤＤ１０１では、接続情報出力部１０３（トランジスタ１１６）の働きにより電源部１０２からの電位変化を検出すると（ステップＳ１１）、接続情報、すなわち接続検出信号（eX HDD Ready：５１）として記録装置１０へと専用インタフェースケーブル６０を介して出力する（ステップＳ１２）。
【００４１】
記録装置１０では、Ｉ／Ｆ部３４を介して接続モード設定部３５及び制御部３０の働き（接続情報認識部６２）により、この接続検出信号（eX HDD Ready：５１）を検出すると（ステップＳ１３）、増設ＨＤＤ１０１を増設するかどうかをユーザに設定させる図６に示すような増設設定画面であるＧＵＩ（graphic user information）画面を表示する（ステップＳ１４）。
【００４２】
この画面に対してユーザがリモコンＲ等で“ＹＥＳ”等の増設を指示する操作を行なうと（ステップＳ１５）、接像モード設定部３５及び制御部３０の働き（モード判断部６３）により、動作モードを通常モードから増設モードに変更する（ステップＳ１６）。そして、接像モード設定部３５及び制御部３０の働き（出力切替判断部６４）により、増設ＨＤＤ１０１の内蔵するＨＤＤユニット１０６に電源電位を供給せよとの指示信号（ｅｘＨＤＤ  ＣＴＬ：５２）を専用インタフェースケーブル６０を介して増設ＨＤＤ１０１に供給する（ステップＳ１７）。
【００４３】
増設ＨＤＤ１０１では、電力出力制御スイッチ１０４がこの指示信号（ｅｘＨＤＤ  ＣＴＬ：５２）を受けると（ステップＳ１８）、スイッチ１０４をオンすることにより、ＨＤＤユニット１０６に電源供給を行なう（ステップＳ１９）。
【００４４】
この結果、ＨＤＤユニット１０６の正常な動作を開始し、スタンバイ検出部１０５（トランジスタ１２１）は、増設ＨＤＤ１０１本体が起動したことを認識すると、スタンバイ信号（ｅｘＨＤＤ  ＳＴＢ：５３）を専用インタフェースケーブル６０を介して記録装置１０に供給する。
【００４５】
記録装置１０では、接像モード設定部３５及び制御部３０の働き（増設機器動作判定部６５）により、このスタンバイ信号（ｅｘＨＤＤ  ＳＴＢ：５３）を検出すると、  増設ＨＤＤ１０１との間で認証処理を行なう（ステップＳ２０，ステップＳ２１）。その後、認証処理に成功すると、通常の通信状態で増設ＨＤＤ１０１を処理対象として使用する（ステップＳ２２，ステップＳ２３）。
【００４６】
このように、本発明の一実施形態の記録装置１０では、図６の増設設定画面によりユーザの指示を受けてから動作モードを通常モードから増設モードに変更して、増設ＨＤＤ１０１を増設することにより、接続しただけで増設されたことになったり、初めから増設した編集画面になることがないので、ユーザの操作上の混乱を回避することができる。また、ユーザの増設指示を受けてから、増設ＨＤＤ１０１の内部のＨＤＤユニットに電源を供給するため、節電効果を期待することができる。
【００４７】
（本発明の一実施形態である増設ＨＤＤを対象に含めた選択先切替処理）
次に、上記のように設定された増設モードにおける記録再生処理の選択先切替処理をフローチャートを用いて詳細に説明する。図７は、本発明の一実施形態に係る記録装置における記録再生処理の選択先の切替処理の一例を示すフローチャートである。
【００４８】
記録装置１０では、動作モードが通常モードか、増設モードにより、記録再生処理の選択先切替処理は、以下のように異なってくる。すなわち、図７のフローチャートにおいて、制御部３０の働きにより、通常モードか増設モードかが判断される（ステップＳ３１）。制御部３０が通常モードであると判断すると、選択対象をＤＶＤ、ＨＤＤ１の内から、先の選択先または設定に応じた選択先を選択する（ステップＳ３２）。そして、リモコンＲ等の図示しない選択先切替スイッチの押下による切替信号があると（ステップＳ３３）、ＤＶＤ，ＨＤＤ１の順序で、現在の選択先から次の選択先に切り替えていく（ステップＳ３４）。
【００４９】
同様に、制御部３０の働きにより、通常モードか増設モードかが判断される（ステップＳ３１）。制御部３０が増設モードであると判断すると、選択対象をＤＶＤ、ＨＤＤ１、ＨＤＤ２の内から、先の選択先または設定に応じた選択先を選択する（ステップＳ３５）。そして、リモコンＲ等の図示しない選択先切替スイッチの押下による切替信号があると（ステップＳ３６）、ＤＶＤ，ＨＤＤ１，ＨＤＤ２の順序で、現在の選択先から次の選択先に切り替えていく（ステップＳ３７）。
【００５０】
・編集処理
更に、記録装置１０において、編集処理のための編集画面についても、動作モードに応じて自動的に切り替えられる。図８は、本発明の一実施形態に係る記録装置における通常モード時の編集画面の一例を示す説明図、図９は、増設モード時の編集画面の一例を示す説明図である。
【００５１】
すなわち、制御部３０の働きにより、通常モードか増設モードかが判断され、通常モードであれば、図８に示すように、コピー動作、移動動作を行なう記録媒体の選択肢として、ＤＶＤとＨＤＤ１とを対象とした画面が制御部３０及びデータ編集部２０の働きにより表示される。
【００５２】
一方、制御部３０の働きにより通常モードか増設モードかが判断され、増設モードであれば、図９に示すように、コピー動作、移動動作を行なう記録媒体の選択肢として、ＤＶＤとＨＤＤ１，ＨＤＤ２とを対象とした画面が制御部３０及びデータ編集部２０の働きにより自動的に表示される。
【００５３】
これにより、編集処理の編集画面においても、ユーザの意思を反映した記録媒体の選択肢が示された画面に自動的に切り替えられるため、無関係な記録媒体（まだ増設していない増設ＨＤＤ等）が画面表示されてユーザが困惑するという不具合も解消される。
【００５４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５５】
【図１】本発明の一実施形態に係る記録装置と増設ＨＤＤとが接続されたシステムの構成の一例を示すブロック図。
【図２】本発明の一実施形態に係る記録装置の構成の一例を示すブロック図。
【図３】本発明の一実施形態に係る記録装置と増設ＨＤＤとが接続されたシステムの要部の一例を示す回路図。
【図４】本発明の一実施形態に係る記録装置と増設ＨＤＤとの間の制御信号の一例を示す説明図。
【図５】本発明の一実施形態に係る記録装置における増設処理の一例を示すフローチャート。
【図６】本発明の一実施形態に係る記録装置における増設設定画面の一例を示す説明図。
【図７】本発明の一実施形態に係る記録装置における記録再生処理の選択先の切替処理の一例を示すフローチャート。
【図８】本発明の一実施形態に係る記録装置における通常モード時の編集画面の一例を示す説明図。
【図９】本発明の一実施形態に係る記録装置における増設モード時の編集画面の一例を示す説明図。
【符号の説明】
【００５６】
Ｄ…光ディスク、１０…記録装置、３５…接続モード設定部、１０１…増設ＨＤＤ。
【図１】
2008158973.tif 000003
【図２】
2008158973.tif 000004
【図３】
2008158973.tif 000005
【図４】
2008158973.tif 000006
【図５】
2008158973.tif 000007
【図６】
2008158973.tif 000008
【図７】
2008158973.tif 000009
【図８】
2008158973.tif 000010
【図９】
2008158973.tif 000011